(57)【要約】【課題】例えば内燃機関の負圧を利用せずに、キャニスタのパージ処理を確実に実施する。【解決手段】蒸発燃料処理装置は、冷媒を循環させる冷媒循環回路（５００ａ）を有するエアコンシステム（５００）と、燃料を貯留する燃料タンク（３００）で生じる蒸発燃料を吸着可能なキャニスタ（４００）と、冷媒循環回路からキャニスタへ冷媒を導入可能な冷媒導入手段（６１０、６１１）と、冷媒導入手段によってキャニスタに導入された冷媒を、この導入された冷媒によってキャニスタから脱離した蒸発燃料と共に、混合体として冷媒循環回路に戻す冷媒戻し手段（６２０）と、冷媒戻し手段によって冷媒循環回路に戻された混合体に含まれる蒸発燃料を液化して、燃料タンクに還流させる燃料還流手段（６３０、６４０）とを備える。【選択図】図１
2010270619.tif 000002
【特許請求の範囲】
【請求項１】
冷媒を循環させる冷媒循環回路を有するエアコンシステムと、
燃料を貯留する燃料タンクで生じる蒸発燃料を吸着可能なキャニスタと、
前記冷媒循環回路から前記キャニスタへ前記冷媒を導入可能な冷媒導入手段と、
前記冷媒導入手段によって前記キャニスタに導入された冷媒を、該導入された冷媒によって前記キャニスタから脱離した蒸発燃料と共に、混合体として前記冷媒循環回路に戻す冷媒戻し手段と、
前記冷媒戻し手段によって前記冷媒循環回路に戻された前記混合体に含まれる蒸発燃料を液化して、前記燃料タンクに還流させる燃料還流手段と
を備えることを特徴とする蒸発燃料処理装置。
【請求項２】
前記冷媒循環回路は、互いに冷媒通路を介して接続されたコンプレッサ、コンデンサ、膨張弁及びエバポレータを有し、
前記燃料還流手段は、
前記冷媒循環回路における前記膨張弁及び前記エバポレータ間に設けられ、前記混合体から蒸発燃料を液化して分離する気液分離器と、
前記気液分離器によって分離された蒸発燃料を前記燃料タンクに戻す燃料回収通路と
を有する請求項１に記載の蒸発燃料処理装置。
【請求項３】
前記冷媒導入手段は、前記冷媒循環回路における前記エバポレータの下流側であって前記コンプレッサの上流側に位置する冷媒通路と前記キャニスタとを連通させる冷媒導入通路を有する請求項２に記載の蒸発燃料処理装置。
【請求項４】
前記燃料還流手段は、前記燃料回収通路に設けられ、前記燃料回収通路を開閉可能なリターン開閉弁を更に有する請求項２又は３に記載の蒸発燃料処理装置。
【請求項５】
前記冷媒導入手段によって前記キャニスタに導入される前記冷媒の温度と、前記冷媒還流手段によって前記冷媒循環回路に戻される前記混合体の温度との温度差を検出する温度差検出手段と、
前記温度差検出手段によって検出された温度差が所定の基準温度差以下である場合には、前記冷媒循環回路から前記キャニスタへの前記冷媒の導入が停止されるように、前記冷媒導入手段を制御する冷媒導入制御手段と
を更に備える請求項１から４のいずれか一項に記載の蒸発燃料処理装置。
【請求項６】
前記冷媒戻し手段は、前記キャニスタと前記冷媒循環回路とを連通させる冷媒戻し通路と、前記冷媒戻し通路に設けられ、前記冷媒戻し通路を開閉可能な冷媒開閉弁とを有し、
前記燃料タンク及び前記キャニスタの少なくとも一方の内部の圧力を検出する圧力検出手段と、
前記冷媒が前記燃料タンク及び前記キャニスタに導入されることにより前記燃料タンク及び前記キャニスタが加圧状態となるように、前記冷媒導入手段、前記冷媒開閉弁及び前記リターン開閉弁を制御した後、前記圧力検出手段によって検出される圧力に基づいて前記燃料タンク及び前記キャニスタの少なくとも一方に異常が発生しているか否かを判定する異常判定手段と
を更に備える請求項４に記載の蒸発燃料処理装置。
【請求項７】
前記キャニスタに吸着されている前記蒸発燃料の吸着量の推定値に応じて前記エアコンシステムを起動するエアコン制御手段を更に備える請求項１から６のいずれか一項に記載の蒸発燃料処理装置。
【発明の詳細な説明】
【技術分野】
【０００１】
本発明は、蒸発燃料を処理するための蒸発燃料処理装置の技術分野に関する。
【背景技術】
【０００２】
内燃機関の燃料タンクで発生する蒸発燃料（以下、「ベーパ」と適宜称する）を処理するための蒸発燃料処理装置として、活性炭等の吸着材を収容したキャニスタを燃料タンクに接続する装置が知られている（例えば特許文献１から３参照）。例えば、特許文献１には、燃料タンク内で発生した蒸発燃料を冷却器で冷却して液化し燃料タンクに戻すことでキャニスタへの蒸発燃料の流入量を減らす装置が開示されている。特許文献２には、キャニスタから導出した蒸発燃料を加圧した後に急膨張させることにより急冷して液化させる装置が開示されている。特許文献３には、空調用エアコンシステム回路で得られる冷気により蒸発燃料を冷却液化して、再び燃料タンク内に戻す装置が開示されている。
【０００３】
上述したようなキャニスタを使用する場合、吸着材の吸着能力には限界があるため、吸着材が飽和する前に吸着材からベーパを放出させるパージ処理が必要となる。パージ処理は、一般に、キャニスタに大気を取り込んで吸着材からベーパを放出させ、その放出されたベーパを含んだパージガスを内燃機関の負圧を利用して吸気系に導入することにより実施されている。
【先行技術文献】
【特許文献】
【０００４】
【特許文献１】特開平６−１４７０２９号公報
【特許文献２】特開２００２−１２２０４７号公報
【特許文献３】特開昭６３−２１２７５６号公報
【発明の概要】
【発明が解決しようとする課題】
【０００５】
駆動源として内燃機関及びモータを備えるハイブリッド車両（ＨＶ：Hybrid Vehicle）では、モータの駆動力のみを使用したＥＶ（Electric Vehicle）走行を行うことが可能であり、内燃機関の始動頻度は低下する傾向にある。とりわけプラグインハイブリッド車両（ＰＨＶ：Plug in Hybrid Vehicle）のように、ＥＶ走行が主たる走行モードとなり得るハイブリッド車両においてはその傾向は顕著である。このため、ハイブリッド車両においては、上述したような内燃機関の負圧を利用したパージ処理が実施可能となる期間が減少するため、パージ処理を実施することが困難になるという技術的問題点がある。また、駆動源として内燃機関のみを備える車両においても、燃費の向上を目的として内燃機関の負圧が低下する傾向にあるため、上述したような内燃機関の負圧を利用したパージ処理を実施することが困難になる。
【０００６】
他方、上述した特許文献１或いは３に開示された装置では、車両クーラ或いは空調用エアコンシステムを利用して、その冷媒或いは冷気と蒸発燃料との間で熱交換を行わせることにより、蒸発燃料を冷却するので、蒸発燃料を十分に冷却することができず、蒸発燃料を液化することが困難になるおそれがある。
【０００７】
本発明は、例えば上述した問題点に鑑みなされたものであり、例えば内燃機関の負圧を利用せずに、キャニスタのパージ処理を確実に実施可能な蒸発燃料処理装置を提供することを課題とする。
【課題を解決するための手段】
【０００８】
本発明の蒸発燃料処理装置は上記課題を解決するために、冷媒を循環させる冷媒循環回路を有するエアコンシステムと、燃料を貯留する燃料タンクで生じる蒸発燃料を吸着可能なキャニスタと、前記冷媒循環回路から前記キャニスタへ前記冷媒を導入可能な冷媒導入手段と、前記冷媒導入手段によって前記キャニスタに導入された冷媒を、該導入された冷媒によって前記キャニスタから脱離した蒸発燃料と共に、混合体として前記冷媒循環回路に戻す冷媒戻し手段と、前記冷媒戻し手段によって前記冷媒循環回路に戻された前記混合体に含まれる蒸発燃料を液化して、前記燃料タンクに還流させる燃料還流手段とを備える。
【０００９】
本発明の蒸発燃料処理装置は、例えば車両に搭載され、例えば内燃機関の燃料を貯留する燃料タンク内で発生した蒸発燃料（即ち、ベーパ）を吸着可能なキャニスタを備える。燃料タンクとキャニスタとは蒸発燃料通路を介して接続されており、ベーパが燃料タンクからキャニスタに流入して吸着される。エアコンシステムは、当該蒸発燃料処理装置が搭載される車両の車室内の空調を行う空調システム（即ち、エアコンディショニングシステム）であり、例えば自然冷媒である二酸化炭素（ＣＯ２）等の冷媒を循環させる冷媒循環回路を有している。冷媒循環回路は、典型的には、互いに冷媒通路を介して接続されたコンプレッサ（圧縮器）、コンデンサ（凝縮器）、膨張弁及びエバポレータ（蒸発器）を有している。
【００１０】
本発明では特に、冷媒導入手段及び冷媒戻し手段を備える。冷媒導入手段は、冷媒循環回路からキャニスタへ冷媒を導入可能に構成され、例えば、冷媒循環回路の冷媒通路とキャニスタとを連通させる冷媒導入通路を有している。冷媒戻し手段は、キャニスタに導入された冷媒を、キャニスタから脱離した蒸発燃料と共に、混合体として冷媒循環回路に戻すことが可能に構成され、例えば、キャニスタと冷媒循環回路の冷媒通路とを連通させる冷媒戻し通路を有している。よって、冷媒導入手段によって冷媒をキャニスタに導入することにより、キャニスタ（より具体的には、キャニスタが有する吸着材）に吸着されていた蒸発燃料をキャニスタから脱離させることができる。即ち、冷媒循環回路からキャニスタに冷媒導入手段によって導入された冷媒によって、キャニスタに吸着されていた蒸発燃料をキャニスタから脱離（或いは放出）させるパージ処理を実施することが可能となる。キャニスタから脱離した蒸発燃料と冷媒とを含む混合体は、冷媒戻し手段によって冷媒循環回路に戻される。
【００１１】
更に本発明では特に、冷媒戻し手段によって冷媒循環回路に戻された混合体に含まれる蒸発燃料を液化して、燃料タンクに還流させる燃料還流手段を備える。燃料還流手段は、例えば、冷媒循環回路における膨張弁及びエバポレータ間に設けられ、混合体から蒸発燃料を液化して分離する気液分離器と、該気液分離器によって液化され分離された蒸発燃料を燃料タンクに戻す燃料回収通路とを有する。よって、冷媒循環回路に戻された混合体に含まれる、冷媒によってキャニスタから脱離した蒸発燃料を、液状の燃料として燃料タンクに確実に回収することができる。ここで、本発明によれば、エアコンシステムの冷媒循環回路中に蒸発燃料を冷媒と共に混合体として流して、この混合体に含まれる蒸発燃料を例えば気液分離器によって液化するので、例えば、仮に、エアコンシステムの冷媒或いは冷気と蒸発燃料との間で熱交換を行わせることにより、蒸発燃料を冷却し液化する場合と比較して、蒸発燃料を液化する効率を向上させることができる。加えて、本発明によれば、エアコンシステムの冷却能力の低下を殆ど或いは全く招かない。
【００１２】
以上のように、本発明によれば、例えば内燃機関の負圧を利用せずに、エアコンシステムの冷媒を利用してキャニスタのパージ処理を確実に実施することができ、更に、このパージ処理によってキャニスタから脱離した蒸発燃料を液化して燃料タンクに回収することができる。
【００１３】
本発明の蒸発燃料処理装置の一態様では、前記冷媒循環回路は、互いに冷媒通路を介して接続されたコンプレッサ、コンデンサ、膨張弁及びエバポレータを有し、前記燃料還流手段は、前記冷媒循環回路における前記膨張弁及び前記エバポレータ間に設けられ、前記混合体から蒸発燃料を液化して分離する気液分離器と、前記気液分離器によって分離された蒸発燃料を前記燃料タンクに戻す燃料回収通路とを有する。
【００１４】
この態様によれば、冷媒循環回路において混合体が膨張弁によって低温且つ低圧にされた状態で、この混合体から気液分離器によって蒸発燃料を液化して、燃料回収通路によって燃料タンクに戻すことができる。
【００１５】
尚、冷媒循環回路では、コンプレッサ、コンデンサ、膨張弁及びエバポレータは、冷媒がコンプレッサ、コンデンサ、膨張弁及びエバポレータをこの順に循環するように、互いに接続されている。コンプレッサ（即ち、圧縮器）は、冷媒（例えば二酸化炭素）を圧縮する。冷媒は、コンプレッサによって圧縮されることにより高温且つ高圧の状態になる。コンデンサ（即ち、凝縮器）は、コンプレッサによって圧縮された冷媒を凝縮する（即ち、液化する）。冷媒は、コンデンサによって凝縮されることにより低温且つ高圧の状態になる。膨張弁は、コンデンサによって凝縮された冷媒を、絞り膨張によって減圧する。冷媒は、膨張弁によって減圧されることにより低温且つ低圧の状態になる。エバポレータ（即ち、蒸発器）は、膨張弁によって減圧された冷媒を蒸発させる（言い換えれば、気化させる）。冷媒は、エバポレータによって蒸発させられることにより高温且つ低圧の状態になる。
【００１６】
上述した冷媒循環回路がコンプレッサ、コンデンサ、膨張弁及びエバポレータを有する態様では、前記冷媒導入手段は、前記冷媒循環回路における前記エバポレータの下流側であって前記コンプレッサの上流側に位置する冷媒通路と前記キャニスタとを連通させる冷媒導入通路を有していてもよい。
【００１７】
この場合には、エバポレータを通過した後の高温且つ低圧の状態にある冷媒を冷媒導入手段によってキャニスタに導入することができる。よって、キャニスタに吸着している蒸発燃料を、高温且つ低圧の状態にある冷媒によってキャニスタから脱離させることができる。即ち、高温且つ低圧の状態にある冷媒によってパージ処理を実施することができる。よって、冷媒をキャニスタに導入することによるキャニスタの温度の低下を抑制でき、キャニスタから蒸発燃料が脱離しにくくなることを抑制できる。従って、キャニスタから蒸発燃料を効率良く脱離させることができる。即ち、パージ処理の効率を向上させることができる。
【００１８】
上述した燃料還流手段が燃料回収通路を備える態様では、前記燃料還流手段は、前記燃料回収通路に設けられ、前記燃料回収通路を開閉可能なリターン開閉弁を更に有していてもよい。
【００１９】
この場合には、例えば燃料タンク内が負圧である場合にリターン開閉弁を開弁状態とすることにより、気液分離器によって分離された蒸発燃料（即ち、液化された蒸発燃料、つまり燃料）を効果的に燃料タンクに戻すことができる。
【００２０】
本発明の蒸発燃料処理装置の他の態様では、前記冷媒導入手段によって前記キャニスタに導入される前記冷媒の温度と、前記冷媒還流手段によって前記冷媒循環回路に戻される前記混合体の温度との温度差を検出する温度差検出手段と、前記温度差検出手段によって検出された温度差が所定の基準温度差以下である場合には、前記冷媒循環回路から前記キャニスタへの前記冷媒の導入が停止されるように、前記冷媒導入手段を制御する冷媒導入制御手段とを更に備える。
【００２１】
この態様によれば、エアコンシステムの冷媒を利用したパージ処理を無駄に実施してしまうことを回避できる。ここで、冷媒循環回路からキャニスタに導入される冷媒の温度と、キャニスタから冷媒循環回路に戻される混合体の温度との温度差が殆ど或いは全くない場合には、キャニスタに蒸発燃料が吸着されていないと考えられる。
【００２２】
尚、所定の基準温度差は、例えば、キャニスタに吸着されている蒸発燃料が殆ど或いは実践上全く無いと推定される、冷媒循環回路からキャニスタに導入される冷媒の温度とキャニスタから冷媒循環回路に戻される混合体の温度との温度差の上限値として、実験的、経験的、シミュレーション等により定めればよい。
【００２３】
上述した燃料還流手段がリターン開閉弁を有する態様では、前記冷媒戻し手段は、前記キャニスタと前記冷媒循環回路とを連通させる冷媒戻し通路と、前記冷媒戻し通路に設けられ、前記冷媒戻し通路を開閉可能な冷媒開閉弁とを有し、前記燃料タンク及び前記キャニスタの少なくとも一方の内部の圧力を検出する圧力検出手段と、前記冷媒が前記燃料タンク及び前記キャニスタに導入されることにより前記燃料タンク及び前記キャニスタが加圧状態となるように、前記冷媒導入手段、前記冷媒開閉弁及び前記リターン開閉弁を制御した後、前記圧力検出手段によって検出される圧力に基づいて前記燃料タンク及び前記キャニスタの少なくとも一方に異常が発生しているか否かを判定する異常判定手段とを更に備えてもよい。
【００２４】
この場合には、キャニスタ及び燃料タンクを含むシステムを検査対象システムとして、エアコンシステムの冷媒を利用して、穴あき等の異常を検出する検査を行うことが可能である。
【００２５】
本発明の蒸発燃料処理装置の他の態様では、前記キャニスタに吸着されている前記蒸発燃料の吸着量の推定値に応じて前記エアコンシステムを起動するエアコン制御手段を更に備える。
【００２６】
この態様によれば、エアコン制御手段は、キャニスタに吸着されている蒸発燃料の吸着量の推定値（即ち、キャニスタに吸着されていると推定される蒸発燃料の吸着量）が例えば所定の基準吸着量よりも多く、パージ処理が必要である場合であって、エアコンシステムが動作していない場合に、エアコンシステムを起動する（言い換えれば、エアコンシステムを強制的に作動させる）。よって、パージ処理が必要な場合に、エアコンシステムの冷媒を利用したパージ処理を確実に実施することが可能となる。
【００２７】
本発明の作用及び他の利得は次に説明する発明を実施するための形態から明らかにされる。
【図面の簡単な説明】
【００２８】
【図１】第１実施形態に係る蒸発燃料処理装置を備えた車両の模式図である。
【図２】車両の動作状態毎の作動弁の開閉状態を示す表である。
【図３】出入り口温度差に基づくパージ処理の停止制御について説明するためのフローチャートである。
【図４】第１実施形態における穴あき検出の流れを示すフローチャートである。
【発明を実施するための形態】
【００２９】
以下では、本発明の実施形態について図を参照しつつ説明する。
【００３０】
＜第１実施形態＞
第１実施形態に係る蒸発燃料処理装置について、図１から図４を参照して説明する。
【００３１】
先ず、本実施形態に係る蒸発燃料処理装置を備えた車両の全体構成について、図１を参照して説明する。
【００３２】
図１は、本実施形態に係る蒸発燃料処理装置を備えた車両の模式図である。
【００３３】
図１において、本実施形態に係る蒸発燃料処理装置を備えた車両１０は、エンジン２００、燃料タンク３００、キャニスタ４００、エアコンシステム５００及びＥＣＵ１００を備えている。
【００３４】
エンジン２００は、車両１０の駆動源として機能する内燃機関であり、ガソリンを燃料とするガソリンエンジンである。エンジン２００は、そのシリンダ内部で燃料と吸入空気（即ち、外界から導かれる空気）との混合気を燃焼させると共に、爆発力に応じて生じる内部のピストン運動を回転運動に変換することで車両１０を駆動可能に構成されている。尚、エンジン２００は、ガソリンエンジンに限られず、軽油を燃料とするディーゼルエンジン又はアルコールとガソリンとの混合燃料を使用可能なバイフューエルエンジン等であってもよい。
【００３５】
エンジン２００には、そのシリンダ内部に外界から吸入空気を導くための吸気通路２１０が設けられている。この吸気通路２１０には、エアクリーナ２２０が配設されており、外界から吸入される空気が浄化される。吸気通路２１０におけるエアクリーナ２２０の下流側（シリンダ側）には、シリンダ内部への吸入空気量を調節するスロットルバルブ２１２が配設されている。エンジン２００では、吸気通路２１０によって外部から吸入された吸入空気と、燃料噴射装置であるインジェクタ２１４から噴射された燃料とが混合され（即ち、混合気を形成し）、この混合気が燃焼される。
【００３６】
燃料タンク３００は、エンジン２００の燃料を貯留するための燃料タンクである。燃料タンク３００には、燃料タンク３００内に燃料を供給するためのパイプであるインレットパイプ３１０が設けられている。インレットパイプ３１０の給油口３１１には、フューエルキャップ３１２が着脱可能に取り付けられている。インレットパイプ３１０の給油口３１１と反対側の端部には、燃料タンク３００内の燃料がインレットパイプ３１０を逆流し燃料タンク３００から給油口３１１側に流れることを防止する、逆止弁３１３が設けられている。インレットパイプ３１０の給油口３１１の近傍には、ベントライン３２０が接続されている。ベントライン３２０は、給油時に、燃料タンク３００内の蒸発燃料（即ち、ベーパ）をインレットパイプ３１０の給油口３１１付近まで戻し、大気が給油口１１から燃料タンク３００内に入り込む量を低減するために設けられている。
【００３７】
燃料タンク３００内には、フューエルポンプ３３０及び残量センサ３４０が配設されている。フューエルポンプ３３０は、燃料タンク３００内に貯留された燃料を吸い上げることが可能に構成されたポンプ装置である。フューエルポンプ３３０には、エンジン２００のインジェクタ２１４に至るフィードパイプ３５０が連結されており、フューエルポンプ３３０によって吸い上げられた燃料は、フィードパイプ３５０を介してインジェクタ２１４に供給される。残量センサ３４０は、フロート式の液面高センサであり、燃料タンク３００における燃料の残量を数値化して検出することが可能に構成されている。残量センサ３４０は、ＥＣＵ１００と電気的に接続されている。残量センサ３４０によって検出された燃料の残量は、ＥＣＵ１００により一定又は不定の周期で参照される。
【００３８】
燃料タンク３００の上部には、後述するキャニスタ４００と燃料タンク３００内の燃料液面上部空間とを連通させる蒸発燃料通路であるエバポライン３６０が接続されている。エバポライン３６０と燃料タンク３００との接続部には、ＯＲＶＲバルブ（Onboard refueling vapor recovery valve）３７１及びＣＯＶ(Cut Off Valve)３７２が設けられている。ＯＲＶＲバルブ３７１は、給油時の液面上昇により閉弁し、エバポライン３６０と燃料タンク３００との連通を遮断するように構成されている。また、ＯＲＶＲバルブ３７１は、車両転倒時等においてもエバポライン３６０と燃料タンク３００との連通を遮断する構成となっており、エバポライン３６０を介して燃料タンク３００内の燃料が外部に漏洩しない構成となっている。ＣＯＶ３７２は、ＯＲＶＲバルブ３７１と並列配置されており、ＯＲＶＲバルブ３７１よりも更に液面が上昇した場合にエバポライン３６０と燃料タンク３００との連通を遮断するように構成されている。ＣＯＶ３７２は、給油時の液面上昇に際しては、ＯＲＶＲバルブ３７１の閉弁後も開弁状態を維持するが、車両旋回による液面の動揺等により液面がＣＯＶ３７２まで到達する場合には閉弁し、エバポライン３６０と燃料タンク３００との連通を遮断するように構成されており、エバポライン３６０を介して燃料タンク３００内の燃料が外部に漏洩しない構成となっている。
【００３９】
燃料タンク３００の上面には、圧力センサ３４５が設けられている。圧力センサ３４５は、燃料タンク３００内の圧力（即ち、タンク内圧）を検出可能に構成された圧力センサである。圧力センサ３４５は、ＥＣＵ１００と電気的に接続されている。圧力センサ３４５によって検出されたタンク内圧は、ＥＣＵ１００により一定又は不定の周期で参照される。
【００４０】
エバポライン３６０には、封鎖弁３７０が設けられている。封鎖弁３７０は、開閉動作によりエバポライン３６０を開放及び封鎖することが可能に構成されたバルブ装置である。封鎖弁３７０が閉弁状態である場合には、エバポライン３６０は封鎖され、燃料タンク３００とキャニスタ４００との連通が遮断される。封鎖弁３７０は、ＥＣＵ１００に接続されており、その開閉動作がＥＣＵ１００により制御される。エバポライン３６０における封鎖弁３７０のキャニスタ４００側には、冷媒導入通路６１０が接続されている。冷媒導入通路６１０は、後述するエアコンシステム５００からキャニスタ４００へ冷媒を導入するための管状部材である。尚、冷媒導入通路６１０の構成については、後に説明を加える。
【００４１】
キャニスタ４００は、その内部に、燃料タンク３００内で発生する蒸発燃料（即ち、ベーパ）を吸着保持可能な活性炭等の吸着材４１０を備えた吸着装置である。キャニスタ４００は、上述したエバポライン３６０、大気連通管４２０及び冷媒戻し通路６２０の三種類の配管に接続されている。
【００４２】
大気連通管４２０は、車両１０の車外空間（言い換えれば、大気）と連通する管状部材であり、キャニスタ４００に接続されている。大気連通管４２０には、開閉動作により大気連通管４２０を開閉可能な大気弁４２１が設けられている。大気弁４２１が開弁状態である場合には、大気とキャニスタ４００とが大気連通管４２０を介して連通し、大気弁４２１が閉弁状態である場合には、大気とキャニスタ４００との大気連通管４２０を介した連通が遮断される。大気弁４２１は、ＥＣＵ１００に接続されており、その開閉動作がＥＣＵ１００により制御される。
【００４３】
冷媒戻し通路６２０は、エアコンシステム５００から上述した冷媒導入通路６１０を介してキャニスタ４００に導入された冷媒を、この導入された冷媒によってキャニスタ４００の吸着材４１０から脱離した蒸発燃料（即ち、ベーパ）と共に、混合体としてエアコンシステム５００に戻すための管状部材である。尚、冷媒戻し通路６２０の構成については、後に説明を加える。
【００４４】
キャニスタ４００には、圧力センサ４３０が設けられている。圧力センサ４３０は、キャニスタ４００内の圧力を検出可能に構成された圧力センサである。圧力センサ４３０は、ＥＣＵ１００と電気的に接続されている。圧力センサ４３０によって検出された圧力は、ＥＣＵ１００により一定又は不定の周期で参照される。
【００４５】
エアコンシステム５００は、車両１０の車室内の空調を行う空調システムであり、例えば自然冷媒である二酸化炭素（ＣＯ２）等の冷媒を循環させる冷媒循環回路５００ａを有している。冷媒循環回路５００ａは、互いに冷媒通路５９０を介して接続されたコンプレッサ５１０、コンデンサ５２０、膨張弁５３０及びエバポレータ５４０を有している。コンプレッサ５１０、コンデンサ５２０、膨張弁５３０及びエバポレータ５４０は、冷媒がコンプレッサ５１０、コンデンサ５２０、膨張弁５３０及びエバポレータ５４０をこの順に循環するように（即ち、冷媒が、コンプレッサ５１０、コンデンサ５２０、膨張弁５３０、エバポレータ５４０、コンプレッサ５１０、コンデンサ５２０、…の順に循環するように）、互いに接続されている。尚、図１において、矢印Ｒ１、Ｒ２、Ｒ３及びＲ４は、冷媒循環回路５００ａにおける冷媒の流れる方向を示している。
【００４６】
コンプレッサ５１０は、例えばＣＯ２である冷媒を圧縮する圧縮器である。冷媒は、コンプレッサ５１０によって圧縮されることにより高温且つ高圧の状態になる。
【００４７】
コンデンサ５２０は、コンプレッサ５１０によって圧縮された冷媒を凝縮する（即ち、液化する）凝縮器である。冷媒は、コンデンサ５２０によって凝縮されることにより低温且つ高圧の状態になる。
【００４８】
膨張弁５３０は、コンデンサ５２０によって凝縮された冷媒を、絞り膨張によって減圧する膨張弁（エキスパンジョンバルブ）である。冷媒は、膨張弁５３０によって減圧されることにより低温且つ低圧の状態になる。
【００４９】
エバポレータ５４０は、膨張弁５３０によって減圧された冷媒を蒸発させる（言い換えれば、気化させる）蒸発器である。冷媒は、エバポレータ５４０によって蒸発させられることにより高温且つ低圧の状態になる。エバポレータ５４０によって高温且つ低温の状態となった冷媒は、冷媒通路５９０によってコンプレッサ５１０に導かれ、コンプレッサ５１０によって再び圧縮される。
【００５０】
ＥＣＵ１００は、ＣＰＵ（Central Processing Unit）、ＲＯＭ（Read Only Memory）及びＲＡＭ（Random Access Memory）等を備え、車両１０の動作全体を制御することが可能に構成された電子制御ユニットである。ＥＣＵ１００は、後述するパージ処理や穴あき検出を制御することが可能に構成されている。
【００５１】
図１において、車両１０は、冷媒導入通路６１０、三方弁６１１、冷媒戻し通路６２０、冷媒開閉弁６２１、気液分離器６３０、燃料回収通路６４０及びリターン開閉弁６４１を更に備えている。
【００５２】
冷媒導入通路６１０は、上述したように、エアコンシステム５００からキャニスタ４００へ冷媒を導入するための管状部材である。冷媒導入通路６１０の一端は、エアコンシステム５００の冷媒循環回路５００ａにおけるエバポレータ５４０とコンプレッサ５１０との間（即ち、エバポレータ５４０の下流側であってコンプレッサ５１０の上流側）の冷媒通路５９０と三方弁６１１を介して接続されている。冷媒導入通路６１０の他端は、エバポライン３６０における封鎖弁３７０よりもキャニスタ４００側に接続され、キャニスタ４００に連通している。
【００５３】
三方弁６１１は、冷媒循環回路５００ａにおけるエバポレータ５４０とコンプレッサ５１０との間（即ち、エバポレータ５４０の下流側であってコンプレッサ５１０の上流側）の冷媒通路５９０に設けられ、当該三方弁６１１とエバポレータ５４０との間の冷媒通路５９０（５９０ａ）を、当該三方弁６１１とコンデンサ５１０との間の冷媒通路５９０（５９０ｂ）、又は冷媒導入通路６１０に選択的に連通させることが可能に構成された三方弁である。言い換えれば、三方弁６１１は、エバポレータ５４０を通過した冷媒が流れる方向を、コンプレッサ５１０に向かう方向（以下、「エアコン側方向」と適宜称する）と、キャニスタ４００に向かう方向（以下、「キャニスタ側方向」と適宜称する）との間で切り替え可能に構成された三方弁である。三方弁６１１は、ＥＣＵ１００に接続されており、その動作がＥＣＵ１００により制御される。
【００５４】
冷媒戻し通路６２０は、上述したように、エアコンシステム５００から冷媒導入通路６１０を介してキャニスタ４００に導入された冷媒を、この導入された冷媒によってキャニスタ４００の吸着材４１０から脱離したベーパと共に、混合体としてエアコンシステム５００に戻すための管状部材である。冷媒戻し通路６２０の一端は、キャニスタ４００と連通している。冷媒戻し通路６２０の他端は、エアコンシステム５００の冷媒循環回路５００ａにおける三方弁６１１よりコンプレッサ５１０側の冷媒通路５９０（５９０ｂ）に連通している。
【００５５】
冷媒開閉弁６２１は、冷媒戻し通路６２０に設けられ、開閉動作により冷媒戻し通路６２０を開閉可能に構成されたバルブ装置である。冷媒開閉弁６２１が開弁状態である場合には、キャニスタ４００と冷媒通路５９０ｂとが冷媒戻し通路６２０を介して連通し、冷媒開閉弁６２１が閉弁状態である場合には、キャニスタ４００と冷媒通路５９０ｂとの冷媒戻し通路６２０を介した連通が遮断される。冷媒開閉弁６２１は、ＥＣＵ１００に接続されており、その開閉動作がＥＣＵ１００により制御される。
【００５６】
気液分離器６３０は、冷媒循環回路５００ａにおける膨張弁５３０及びエバポレータ５４０間に設けられ、冷媒とベーパとを含む混合体からベーパを液化して分離することが可能に構成された気液分離器である。言い換えれば、気液分離器６３０は、膨張弁５３０を通過した後の混合体を冷媒と燃料（即ち、液化されたペーパ）とに分離し、冷媒をエバポレータ５４０側に流入させると共に燃料を燃料回収通路６４０に流入させることが可能に構成された気液分離器である。
【００５７】
燃料回収通路６４０は、気液分離器６３０によって液化して分離されたベーパ（即ち、燃料）を燃料タンク３００に戻すための管状部材である。燃料回収通路６４０の一端は、気液分離器６３０に接続されている。燃料回収通路６４０の他端は、エバポライン３６０における封鎖弁３７０よりも燃料タンク３００側に接続され、燃料タンク３００に連通されている。
【００５８】
リターン開閉弁６４１は、燃料回収通路６４０に設けられ、開閉動作により燃料回収通路６４０を開閉可能に構成されたバルブ装置である。リターン開閉弁６４１が開弁状態である場合には、気液分離器６３０と燃料タンク３００とが燃料回収通路６４０を介して連通し、リターン開閉弁６４１が閉弁状態である場合には、気液分離器６３０と燃料タンク３００との燃料回収通路６４０を介した連通が遮断される。リターン開閉弁６４１は、ＥＣＵ１００に接続されており、その開閉動作がＥＣＵ１００により制御される。
【００５９】
次に、本実施形態に係る蒸発燃料処理装置の動作について、図１に加えて図２から図４を参照して説明する。
【００６０】
先ず、本実施形態に係る蒸発燃料処理装置によるキャニスタのパージ処理について、図１から図３を参照して説明する。
【００６１】
図２は、車両１０の動作状態毎の、封鎖弁３７０、大気弁４２１、冷媒開閉弁６２１、三方弁６１１及びリターン開閉弁６４１（以下、これらをまとめて「作動弁」と適宜称する）の開閉状態を示す表である。
【００６２】
図２に示す表において、列Ｃ１は、車両１０が走行状態であり、エアコンシステム５００が作動中（即ちＯＮ状態）であり、ＯＢＤ（On-Board Diagnostics：自己故障診断）の一つとしての後述する穴あき検出が実行されている場合の各作動弁の開閉状態を示している。列Ｃ２は、車両１０が走行状態であり、エアコンシステム５００が作動中であり、穴あき検出が実行されていない場合の各作動弁の開閉状態を示している。列Ｃ３は、車両１０が走行状態であり、エアコンシステム５００が作動していない（即ちＯＦＦ状態である）場合の各作動弁の開閉状態を示している。列Ｃ４は、車両１０が給油中である場合の各作動弁の開閉状態を示している。列Ｃ５は、車両１０が駐車中である場合の各作動弁の開閉状態を示している。
【００６３】
図２において、列Ｃ５に示すように、車両１０が駐車中である場合には、封鎖弁３７０は閉弁状態とされ、燃料タンク３００とキャニスタ４００との連通が遮断される。これにより、車両１０の駐車中に燃料タンク３００内で発生したベーパを燃料タンク３００内に封じ込めることができる。よって、キャニスタ４００がベーパを吸着するのを抑制することができる。尚、車両１０が駐車中である場合には、大気弁４２１及び冷媒開閉弁６２１はそれぞれ閉弁状態とされ、三方弁６１１は、「エアコン側」とされ（即ち、エバポレータ５４０を通過した冷媒の流れる方向がエアコン側方向となるようにＥＣＵ１００によって制御され）、リターン開閉弁６４０は、基本的には閉弁状態とされ、タンク内圧が負圧時に開弁状態とされる。
【００６４】
一方、列Ｃ４に示すように、車両１０が給油中である場合には、大気へのベーパの放出を低減するため、封鎖弁３７０は開弁状態とされ、燃料タンク３００とキャニスタ４００とが連通する。これにより、燃料タンク３００内で発生したベーパは、エバポライン３６０によってキャニスタ４００に導かれ、キャニスタ４００の吸着材４１０に吸着される。尚、車両１０が駐車中である場合には、大気弁４２１は開弁状態とされ、冷媒開閉弁６２１は閉弁状態とされ、三方弁６１１は「エアコン側」とされ、リターン開閉弁６４０は、閉弁状態とされる。
【００６５】
ここで、キャニスタ４００の吸着材４１０がベーパを吸着する吸着能力には限界があるため、上述したように車両１０の給油中に吸着材４１０に吸着されたベーパを、吸着材４１０から脱離或いは放出させるパージ処理を実施する必要がある。
【００６６】
本実施形態では特に、上述したように、車両１０は、冷媒導入通路６１０、三方弁６１１、冷媒戻し通路６２０、冷媒開閉弁６２１、気液分離器６３０、燃料回収通路６４０及びリターン開閉弁６４１を備えているので、エアコンシステム５００の冷媒を利用してパージ処理を確実に実施することが可能である。
【００６７】
本実施形態では、パージ処理は、車両１０が走行状態であり、エアコンシステム５００が作動中であり、後述する穴あき検出が実行されていない場合に実施される。パージ処理が実施される際（即ち、車両１０が走行状態であり、エアコンシステム５００が作動中であり、穴あき検出が実行されていない場合）には、図２の列Ｃ２に示すように、封鎖弁３７０は閉弁状態とされ、大気弁４２１は閉弁状態とされ、冷媒開閉弁６２１は開弁状態とされ、三方弁６１１は「キャニスタ側」とされ（即ち、エバポレータ５４０を通過した冷媒の流れる方向がキャニスタ４００側となるようにＥＣＵ１００によって制御され）、リターン開閉弁６４１は、基本的には閉弁状態とされ、タンク内圧が負圧時に開弁状態とされる。
【００６８】
図１及び図２において、このように各作動弁がパージ処理用の開閉状態（即ち、図２の列Ｃ２に示す開閉状態）とされると、先ず、エバポレータ５４０を通過した後の冷媒は、三方弁６１１及び冷媒導入通路６１０によってキャニスタ４００に導入される。よって、キャニスタ４００の吸着材４１０に吸着しているベーパを、冷媒循環回路５００ａからキャニスタ４００に導入された冷媒によって、吸着材４１０から脱離させることができる（即ち、キャニスタ４００のパージ処理を実施できる）。次に、キャニスタ４００に導入された冷媒と、この冷媒によって吸着材４１０から脱離したベーパとの混合体は、冷媒戻し通路６２０によって冷媒循環回路５００ａの冷媒通路５９０ｂに戻される。次に、冷媒循環回路５００ａに戻された混合体は、コンプレッサ５１０、コンデンサ５２０及び膨張弁５３０を順番に通過した後に、気液分離器６３０によって冷媒と燃料とに分離される。気液分離器６３０によって分離された冷媒は、エバポレータ５４０に流入し、気液分離器６３０によって分離された燃料は、燃料回収通路６４０に流入する。燃料回収通路６４０に流入した燃料は、基本的には閉弁状態とされるリターン開閉弁６４１によって燃料回収通路６４０内に一時的に留められ、タンク内圧が負圧時にリターン開閉弁６４１が開弁状態とされることにより燃料タンク３００に戻される。
【００６９】
このように、本実施形態によれば、エアコンシステム５００の冷媒を利用してパージ処理を実施することができる。よって、例えば、エンジン２００が停止される期間或いは回数が長い或いは多いためやエンジン２００の負圧が低いために、エンジン２００の負圧を利用したキャニスタ４００のパージ処理を実施することが困難である場合であっても、キャニスタ４００のパージ処理を確実に実施することができる。更に、仮に、エンジン２００の負圧を利用したパージ処理を行う場合に必要となる、パージ処理に伴う燃料補正（例えばインジェクタ２１４から噴射する燃料の噴射量などの補正）を行う必要がないので、エンジン２００の空燃比制御性を向上させることができる。加えて、冷媒循環回路５００ａに戻された混合体に含まれる、冷媒によってキャニスタ４００から脱離したベーパを、液状の燃料として燃料タンク３００に確実に回収することができる。
【００７０】
図１において、本実施形態では特に、冷媒導入通路６１０は、冷媒循環回路５００ａにおけるエバポレータ５４０の下流側であってコンプレッサ５１０の上流側に位置する冷媒通路５９０とキャニスタ４００とを連通させるように構成されている。よって、エバポレータ５４０を通過した後の高温且つ低圧の状態にある冷媒を冷媒導入通路６１０によってキャニスタ４００に導入することができる。従って、キャニスタ４００に吸着しているベーパを、高温且つ低圧の状態にある冷媒によってキャニスタ４００から脱離させることができる。即ち、高温且つ低圧の状態にある冷媒によってパージ処理を実施することができる。これにより、冷媒をキャニスタ４００に導入することによるキャニスタ４００の温度の低下を抑制でき、キャニスタ４００からベーパが脱離しにくくなることを抑制できる。従って、キャニスタ４００からベーパを効率良く脱離させることができる。即ち、パージ処理の効率を向上させることができる。
【００７１】
更に、本実施形態では特に、上述したように燃料回収通路６４０にリターン開閉弁６４１が設けられており、リターン開閉弁６４１は、タンク内圧が負圧である場合に開弁状態となるようにＥＣＵ１００によって制御される。よって、気液分離器６３０によって液化されたベーパ（即ち、燃料）を、燃料回収通路６４０及びリターン開閉弁６４１を介して効果的に燃料タンク３００に戻すことができる。
【００７２】
加えて、本実施形態では特に、ＥＣＵ１００は、キャニスタ４００に吸着されているベーパの吸着量の推定値（即ち、キャニスタ４００の吸着材４１０に吸着されていると推定されるベーパの吸着量）が所定の基準吸着量よりも多く、パージ処理が必要である場合であって、エアコンシステム５００が作動していない場合には、エアコンシステム５００を起動する（言い換えれば、エアコンシステム５００を強制的に作動させる）ように構成されている。よって、パージ処理が必要な場合に、上述したようなエアコンシステム５００の冷媒を利用したパージ処理を確実に実施することが可能となる。尚、キャニスタ４００に吸着されている吸着量の推定値を得る態様（言い換えれば、キャニスタ４００に吸着されている吸着量を推定する推定態様）としては、公知の各種態様を採用することができる。例えば、タンク内圧、燃料タンク３００内の燃料の温度及び封鎖弁３７０の開弁期間に基づいてＥＣＵ１００が吸着量の推定値を得るようにしてもよいし、キャニスタ４００におけるベーパの吸着量を直接検出し得るように構成された検出手段がキャニスタ４００に設けられ、その検出結果をＥＣＵ１００が吸着量の推定値として参照するようにしてもよい。
【００７３】
尚、図２において、列Ｃ３に示すように、車両１０が走行状態であり、エアコンシステム５００が停止中である場合には、封鎖弁３７０、大気弁４２１及び冷媒開閉弁６２１はそれぞれ閉弁状態とされ、三方弁６１１は「エアコン側」とされ、リターン開閉弁６４０は、基本的には閉弁状態とされ、タンク内圧が負圧時に開弁状態とされる。
【００７４】
図１において、本実施形態では特に、キャニスタ４００には、冷媒導入通路６１０によってキャニスタ４００に導入される冷媒の温度（以下、「入口温度」と適宜呼ぶ）と、冷媒戻し通路６２０によって冷媒循環回路５００ａに戻される混合体の温度（以下、「出口温度」と適宜呼ぶ）とを検出可能な温度センサ６５０が設けられている。更に、ＥＣＵ１００は、温度センサ６５０によって検出された、キャニスタ４００に導入される冷媒の温度と冷媒循環回路５００ａに戻される混合体の温度との温度差が所定の基準温度差以下である場合には、冷媒循環回路５００ａからキャニスタ４００への冷媒の導入が停止されるように、三方弁６１１を制御する（即ち、三方弁６１１は「エアコン側」とされる）。つまり、ＥＣＵ１００は、入口温度と出口温度との温度差に基づいてパージ処理の停止制御を行う。よって、エアコンシステム５００の冷媒を利用したパージ処理を無駄に実施してしまうことを回避できる。ここで、入口温度と出口温度との温度差が殆ど或いは全くない場合には、キャニスタ４００にベーパが吸着されていないと考えられる。尚、以下では、入口温度と出口温度との温度差を「出入り口温度差」と適宜称することとする。温度センサ６５０は、ＥＣＵ１００と共に、本発明に係る「温度差検出手段」の一例を構成する。
【００７５】
このような出入り口温度差に基づくパージ処理の停止制御について、図３を参照して説明を加える。
【００７６】
図３は、出入り口温度差に基づくパージ処理の停止制御について説明するためのフローチャートである。
【００７７】
図３において、先ず、パージ処理の要求があるか否かがＥＣＵ１００によって判定される（ステップＳ１１０）。即ち、上述したキャニスタ４００のパージ処理が実施中であるか否かがＥＣＵ１００によって判定される。
【００７８】
パージ処理の要求がないと判定された場合（即ち、パージ処理が実施中でないと判定された場合）には（ステップＳ１１０：Ｎｏ）、例えば所定時間後に再び、パージ処理の要求があるか否かがＥＣＵ１００によって判定される（ステップＳ１１０）。
【００７９】
一方、パージ処理の要求があると判定された場合（即ち、パージ処理が実施中であると判定された場合）には（ステップＳ１１０：Ｙｅｓ）、上述した出入り口温度差が測定される（ステップＳ１２０）。即ち、入口温度（即ち、冷媒導入通路６１０によってキャニスタ４００に導入される冷媒の温度）と出口温度（即ち、冷媒戻し通路６２０によって冷媒循環回路５００ａに戻される混合体の温度）との温度差である出入り口温度差が温度センサ６５０によって検出され、この検出された出入り口温度差がＥＣＵ１００によって参照される。
【００８０】
次に、出入り口温度差があるか否かがＥＣＵ１００によって判定される（ステップＳ１３０）。即ち、温度センサ６５０によって検出された出入り口温度差が、所定の基準温度より大きいか否かがＥＣＵ１００によって判定される。具体的には、温度センサ６５０によって検出された出入り口温度差が所定の基準温度差より大きい場合には、ＥＣＵ１００は、「出入り口温度差がある」と判定し、温度センサ６５０によって検出された出入り口温度差が所定の基準温度差以下である場合には、ＥＣＵ１００は、「出入り口温度差がない」と判定する。
【００８１】
出入り口温度差があると判定された場合には（ステップＳ１３０：Ｙｅｓ）、パージ処理が継続される（ステップＳ１４０）。即ち、出入り口温度差がある場合には、ＥＣＵ１００は、パージ処理が実行されるように、各作動弁を制御する（つまり、各作動弁を図２における列Ｃ２に示される開閉状態のまま維持する）。
【００８２】
出入り口温度差がないと判定された場合には（ステップＳ１３０：Ｎｏ）、パージ処理が停止される（ステップＳ１５０）。即ち、出入り口温度差がない場合には、ＥＣＵ１００は、パージ処理が停止されるように、各作動弁を制御する（例えば、三方弁６１１を「キャニスタ側」から「エアコン側」に切り替える）。
【００８３】
このように、ＥＣＵ１００は、出入口温度差に基づいてパージ処理の停止制御を行うので、エアコンシステム５００の冷媒を利用したパージ処理を無駄に実施してしまうことを回避できる。
【００８４】
次に、本実施形態における穴あき検出について、図１及び図２に加えて図４を参照して説明する。
【００８５】
本実施形態における「穴あき検出」とは、キャニスタ４００及び燃料タンク３００を含むシステムを検査対象システムとして、検査対象システムに穴あき等の異常があるか否かを判定する検査であり、言い換えれば、検査対象システムにおけるリークの発生を検出するための検査（つまり、検査対象システムにリークを発生させる穴があいているか否かを判定する検査）である。
【００８６】
本実施形態では特に、ＥＣＵ１００は、エアコンシステム５００の冷媒が燃料タンク３００及びキャニスタ４００に導入されることにより燃料タンク３００及びキャニスタ４００が加圧状態となるように、各作業弁を制御した後、圧力センサ４３０によって検出される圧力に基づいて検査対象システムに異常が発生しているか否かを判定することが可能に構成されている。よって、キャニスタ４００及び燃料タンク３００を含むシステムを検査対象システムとして、エアコンシステム５００の冷媒を利用して穴あき検査を行うことが可能である。
【００８７】
図４は、本実施形態における穴あき検出の流れを示すフローチャートである。
【００８８】
図４において、先ず、穴あき検出の要求があるか否かがＥＣＵ１００によって判定される（ステップＳ２１０）。即ち、穴あき検出を行うべき所定の実行条件が満たされているか否かがＥＣＵ１００によって判定される。
【００８９】
穴あき検出の要求がないと判定された場合には（ステップＳ２１０：Ｎｏ）、例えば所定時間後に再び、穴あき検出の要求があるか否かがＥＣＵ１００によって判定される（ステップＳ２１０）。
【００９０】
一方、穴あき検出の要求があると判定された場合には（ステップＳ２１０：Ｙｅｓ）、先ず、大気弁４２１、冷媒開閉弁６２１及びリターン開閉弁６４１がＥＣＵ１００によってそれぞれ閉弁状態とされる（ステップＳ２２０）。
【００９１】
次に、ＥＣＵ１００によって、封鎖弁３７０が開弁状態とされると共に三方弁６１１が「キャニスタ側」とされる（ステップＳ２３０）。これにより、冷媒循環回路５００ａにおける冷媒通路５９０（５９０ｂ）とキャニスタ４００と燃料タンク３００とが互いに連通し、冷媒循環回路５００ａの冷媒がキャニスタ４００及び燃料タンク３００に導入される。ここで、大気弁４２１、冷媒開閉弁６２１及びリターン開閉弁６４１がそれぞれ閉弁状態とされているので、冷媒循環回路５００ａの冷媒がキャニスタ４００及び燃料タンク３００に導入されることにより、キャニスタ４００及び燃料タンク３００が加圧状態となる。尚、図２の列Ｃ１は、穴あき検査の実行中において、このように冷媒循環回路５００ａの冷媒がキャニスタ４００及び燃料タンク３００に導入される際の各作動弁の開閉状態を示している。
【００９２】
次に、三方弁６１１が「エアコン側」とされ、検査対象システムの圧力変化の測定がＥＣＵ１００によって開始される（ステップＳ２４０）。即ち、ＥＣＵ１００は、キャニスタ４００に設けられた圧力センサ４３０によって検出される圧力を所定期間中に複数回参照することにより、キャニスタ４００及び燃料タンク３００を含む検査対象システム内の圧力の変化を測定する。
【００９３】
次に、検査対象システムに圧力変化があるか否かがＥＣＵ１００によって判定される（ステップＳ２５０）。即ち、ＥＣＵ１００は、所定期間中に圧力センサ４３０によって検出された圧力が所定の基準変化量よりも多く変化したか否かを判定する。尚、所定の基準変化量は、検査対象システムに穴あき等の異常が殆ど或いは実践上全く無いと推定される場合に生じ得る検査対象システム内の圧力の変化量の上限値として、実験的、経験的、シミュレーション等により定めればよい。
【００９４】
検査対象システムに圧力変化がないと判定された場合には（ステップＳ２５０：Ｎｏ）、検査対象システムは正常であるとＥＣＵ１００によって判定される（ステップＳ３００）。
【００９５】
検査対象システムに圧力変化があると判定された場合には（ステップＳ２５０：Ｙｅｓ）、封鎖弁３７０がＥＣＵ１００によって閉弁状態とされる（ステップＳ２６０）。
【００９６】
次に、キャニスタ４００に圧力変化があるか否かがＥＣＵ１００によって判定される（ステップＳ２７０）。即ち、ＥＣＵ１００は、封鎖弁３７０を閉弁状態とした後に、所定期間中に圧力センサ４３０によって検出される圧力が変化するか否かを判定する。
【００９７】
キャニスタ４００に圧力変化がある場合には（ステップＳ２７０：Ｙｅｓ）、キャニスタ４００に穴あき等の異常が発生しているとＥＣＵ１００によって判定される（ステップ２８０）。
【００９８】
一方、キャニスタ４００に圧力変化がない場合には（ステップＳ２７０：Ｎｏ）、燃料タンク３００に穴あき等の異常が発生しているとＥＣＵ１００によって判定される（ステップＳ２９０）。即ち、キャニスタ４００及び燃料タンク３００を含む検査対象システムに圧力変化がある場合（ステップＳ２５０）において、封鎖弁３７０が閉鎖されることにより検査対象システムの封鎖弁３７０よりキャニスタ４００側と燃料タンク３００側との連通が遮断された（ステップＳ２６０）後に、キャニスタ４００側の圧力変化がないときには（ステップＳ２７０：Ｎｏ）、ＥＣＵ１００は、検査対象システムのうち封鎖弁３７０よりも燃料タンク３００側に圧力変化があり、燃料タンク３００側に穴あき等の異常が発生していると判定する。
【００９９】
このように、本実施形態によれば、キャニスタ４００及び燃料タンク３００を含むシステムを検査対象システムとして、エアコンシステム５００の冷媒を利用して穴あき検査を行うことが可能である。
【０１００】
尚、本実施形態では、ＥＣＵ１００による検査対象システムの圧力変化の測定が、キャニスタ４００に設けられた圧力センサ４３０によって検出される圧力に基づいて行われる例を挙げて説明したが、ＥＣＵ１００による検査対象システムの圧力変化の測定は、燃料タンク３００に設けられた圧力センサ３４５によって検出される圧力に基づいて行われてもよい。この場合、ＥＣＵ１００は、検査対象システムに圧力変化があると判定した場合には、封鎖弁３７０を閉弁状態とした後に、燃料タンク３００に圧力変化があるか否かを判定し、圧力変化があるときには、燃料タンク３００に穴あき等の異常があると判定し、圧力変化がないときには、キャニスタ４００に穴あき等の異常があると判定する。
【０１０１】
以上説明したように、本実施形態によれば、例えばエンジン２００の負圧を利用せずに、エアコンシステム５００の冷媒を利用してキャニスタ４００のパージ処理を確実に実施することができ、更に、このパージ処理によってキャニスタ４００から脱離したベーパを液化して燃料タンク３００に回収することができる。加えて、キャニスタ４００及び燃料タンク３００を含むシステムを検査対象システムとして、エアコンシステム５００の冷媒を利用して穴あき検出を行うことが可能である。
【０１０２】
本発明は、上述した実施形態に限られるものではなく、請求の範囲及び明細書全体から読み取れる発明の要旨或いは思想に反しない範囲で適宜変更可能であり、そのような変更を伴う蒸発燃料処理装置もまた本発明の技術的範囲に含まれるものである。
【符号の説明】
【０１０３】
１００…ＥＣＵ、２００…エンジン、３００…燃料タンク、３６０…エバポライン、３７０…封鎖弁、４００…キャニスタ、４２１…大気弁、５００…エアコンシステム、５００ａ…冷媒循環回路、５１０…コンプレッサ、５２０…コンデンサ、５３０…膨張弁、５４０…エバポレータ、６１０…冷媒導入通路、６１１…三方弁、６２０…冷媒戻し通路、６２１…冷媒開閉弁、６３０…気液分離器、６４０…燃料回収通路、６４１…リターン開閉弁
【図１】
2010270619.tif 000003
【図２】
2010270619.tif 000004
【図３】
2010270619.tif 000005
【図４】
2010270619.tif 000006